【事件の表示】
　特願２０１３−２１３０６１「偏光膜および偏光膜の製造方法」拒絶査定不服審判事件〔平成２６年６月５日出願公開，特開２０１４−１０２４９７，請求項の数（９）〕について，次のとおり審決する。
【結　論】
　原査定を取り消す。
　本願の発明は，特許すべきものとする。
【理　由】
第１　事案の概要
　１　手続の経緯
　特願２０１３−２１３０６１号（以下「本件出願」という。）は，平成２５年１０月１０日（優先権　平成２４年１０月２２日（以下「優先日」という。））の特許出願であって，その手続の経緯は，以下のとおりである。
平成２７年　７月　８日発送：拒絶理由通知書
平成２７年　９月　７日提出：意見書
平成２７年　９月　７日提出：手続補正書
（この手続補正書による補正を，以下「本件補正」という。）
平成２７年　９月２９日送達：拒絶査定（以下「原査定」という。）
平成２７年１２月２４日請求：審判請求書
　２　本願発明
　本件出願の特許請求の範囲の請求項１〜９に係る発明（以下，それぞれ「本願発明１」〜「本願発明９」という。）は，本件補正により補正された特許請求の範囲の請求項１〜９に記載されたとおりのものであるところ，本願発明１は，次の発明である。
「　ヨウ素を含むポリビニルアルコール系樹脂フィルムから構成され，
　該ポリビニルアルコール系樹脂フィルムの表面側の少なくとも一方がヨウ素低減層とされており，
　該ポリビニルアルコール系樹脂フィルムの厚みが７μｍ以下であり，
　該ポリビニルアルコール系樹脂フィルムの該ヨウ素低減層側の表面の波長６８０ｎｍにおける異方性反射（Ｒｃ／Ｒｐ）が１．５０以下であり（ここで，Ｒｐは偏光膜の透過軸方向の反射率を，Ｒｃは偏光膜の吸収軸方向の反射率を示す），
　単体透過率が，４０．０％以上であり，かつ，偏光度が，９９．８％以上である，偏光膜。」
　なお，本願発明２及び本願発明９は，本願発明１の発明特定事項をすべて含む発明である。本願発明３は，本願発明１の偏光膜の製造方法，又は本願発明２の製造方法の発明である。本願発明４〜本願発明８は，本願発明３の発明特定事項をすべて含む発明である。
　３　原査定の概要
　原査定の拒絶の理由は，概略，本願発明１〜９は，その優先日前に日本国内又は外国において，頒布された刊行物である下記の引用例１〜４のいずれかに記載された発明及び周知技術に基づいて，その優先日前にその発明の属する技術の分野における通常の知識を有する者が容易に発明をすることができたものであるから，特許法２９条２項の規定により特許を受けることができない，というものである。
　　　　　　　　　　　　　　　　　　記
引用例１：特開２０１０−２６４９８号公報
引用例２：特開２０１２−１０８２０２号公報
引用例３：特開昭５６−１４５３３号公報
引用例４：特開２００８−７０５７１号公報
　なお，原査定では，周知技術を示す文献として，上記引用例４，特開２０１２−１３７６４号公報（以下「引用例５」という。），及び特開２０１０−２６６７６９号公報（以下「引用例６」という。）が挙げられている。
第２　当合議体の判断
　１　引用例１の記載及び引用発明１
　(1) 引用例１の記載
　本件出願の優先日前に頒布された刊行物である引用例１（公開日：平成２２年２月４日，発明の名称：偏光板及びその製造方法，出願番号：特願２００９−１１４７７２号，出願日：平成２１年５月１１日，出願人：日東電工株式会社）には，以下の記載がある。なお，下線は当合議体が付したものである。
　ア　「【技術分野】
【０００１】
　本発明は，偏光板及びその製造方法に関する。また本発明は，当該偏光板を用いた光学フィルムおよび，液晶表示装置，有機ＥＬ表示装置，ＰＤＰ等の画像表示装置に関する。
【背景技術】
…（省略）…
【０００３】
　近年では，液晶表示装置はその広範な利用に伴い，高温条件下等で長期間使用される場合も多くなり，その利用される用途に応じた，画質の変化が少ない液晶表示装置が求められている。それに伴い偏光板にも，高温条件下に放置したときや高温高湿条件下に放置したときの光学特性が劣化しないような耐久性が求められている。」
　イ　「【発明が解決しようとする課題】
【０００７】
　本発明は，ポリビニルアルコール系フィルムからなる耐久性に優れた偏光板およびその製造方法を提供することを目的とする。
【０００８】
　また，本発明は，当該偏光板を用いた光学フィルム，さらに当該偏光板，光学フィルムを用いた画像表示装置を提供することを目的とする。
【課題を解決するための手段】
【０００９】
　本願発明者らは，鋭意検討の結果，厚み方向にラマン分光ピーク強度の分布を有する偏光子を備える偏光板によって上記課題が解決されることを見出し本発明に至った。
　すなわち本発明は，ポリビニルアルコール系フィルムをヨウ素で染色した偏光子の両面に保護フィルムを備える偏光板であって，該偏光子断面の厚み方向中心部のラマン分光法による１０５±５ｃｍ−１の範囲の最大ピーク強度Ｔ１と，該偏光子の厚み方向端部のラマン分光法による１０５±５ｃｍ−１の範囲の最大ピーク強度Ｔ２との比が，下記関係を満たす偏光板に関する。
　　０．９２０≦Ｔ２／Ｔ１≦０．９８５
【００１０】
　さらに，本発明は，前記偏光板の製造方法に関する。
　本発明の偏光板の製造方法においては，ポリビニルアルコール系フィルムに，少なくともヨウ素染色工程および架橋工程をこの順で施して偏光子を得る工程，得られた偏光子に保護フィルムを積層する工程，を有し，ヨウ素染色工程における染色浴浸漬時間（ｔＢ）と，架橋工程における架橋浴浸漬時間（ｔＣ）の比（ｔＣ／ｔＢ）が１．３０〜３．９０であることが好ましい。
…（省略）…
【発明の効果】
【００１３】
　ラマン分光法における１０５ｃｍ−１付近のピークは，ポリビニルアルコールとＩ３−イオンの錯体（ＰＶＡ−Ｉ３−錯体）のラマン散乱に対応する。本発明においては，厚み方向中央部と端部とのラマン分光法におけるピーク強度が特定の比である，すなわち，厚み方向において，ＰＶＡ−Ｉ３−錯体が所定の濃度分布を有する偏光子を備えることによって偏光板の耐久性が高められる。」
　ウ　「【発明を実施するための形態】
【００１４】
　本発明の偏光板は，
ポリビニルアルコール系フィルムにヨウ素染色処理を施した偏光子
偏光子断面の厚み方向中心部のラマン分光法による１０５ｃｍ
−１
付近の最大ピーク強度Ｔ
１
と，該偏光子の厚み方向端部のラマン分光法による１０５ｃｍ
−１
付近の最大ピーク強度Ｔ
２
との比が，０．９２０≦Ｔ
２
／Ｔ
１
≦０．９８５，との関係を満た
【００１５】
　一般にヨウ素染色処理された偏光子中では，ヨウ素は三ヨウ素イオン（Ｉ３−）及び五ヨウ素イオン（Ｉ５−）とポリビニルアルコール（ＰＶＡ）との錯体として存在しているが，
ラマン分光法における１０５ｃｍ
−１
付近のピークは，ＰＶＡとＩ
３
−
との錯体
ＰＶＡ−Ｉ
３
−
錯体
のラマン散乱に対応する
ため，このピークが特定の比率を満たすということは，偏光子中のＰＶＡ−Ｉ
３
−
錯体が厚み方向に所定の濃度分布を有していることを意味する
…（省略）…
【００１７】
［偏光子］
　本発明の偏光板を構成する偏光子としては，ヨウ素を含有するポリビニルアルコール系偏光子を用いる。
…（省略）…
【００１８】
　また，偏光子は，一般にヨウ素染色および延伸することによって得られるが，本発明の偏光板を構成する偏光子においては，延伸前の原寸フィルムの膜厚が２０〜１００μｍであることが好ましく，４０〜７５μｍであることがより好ましい。
…（省略）…
【００２０】
［偏光子の製造方法］
　このような偏光子の製造方法は特に限定されないが，少なくとも，前記ポリビニルアルコール系フィルムを，ヨウ素および／またはヨウ素イオンを含む溶液（染色浴）に浸漬する工程（以下，「ヨウ素染色工程」と称する場合がある）および，ヨウ素染色工程の後に，ホウ酸等の架橋剤を含む溶液（架橋浴）に浸漬する工程（以下，「架橋工程」と称する場合がある）を含み，ヨウ素染色工程における染色浴浸漬時間ｔＢと，架橋工程における架橋浴浸漬時間ｔＣの比ｔＣ／ｔＢが１．３０〜３．９０であることが好ましく，１．４０〜３．００であることがより好ましく，１．５０〜２．６０であることがさらに好ましい。
【００２１】
　「ヨウ素染色工程」と「架橋工程」の浸漬時間の比ｔＣ／ｔＢが前記範囲内である場合，厚み方向中心部のラマン分光法による１０５ｃｍ−１付近の最大ピーク強度Ｔ１と，該偏光子の厚み方向端部のラマン分光法による１０５ｃｍ−１付近の最大ピーク強度Ｔ２との比が，前記した好ましい範囲内となり，高温高湿下においてヨウ素の色抜けが抑制される傾向がある。
【００２２】
　一方，ｔＣ／ｔＢが小さい場合，偏光子の厚み方向中心部のヨウ素イオン濃度は，偏光子の表面付近のヨウ素イオン濃度よりも相対的に大きくなる，すなわち，Ｔ２／Ｔ１は前記好ましい範囲を下回り，耐久性が低下する傾向がある。このように浸漬時間の比によって耐久性が異なる原因は必ずしも明らかではないが，「架橋工程」における浸漬時間ｔＣが相対的に短いために，ホウ酸によるＰＶＡの架橋が不十分となることが一因として考えられる。ＰＶＡの架橋が不十分であると，高温高湿環境下において，ヨウ素イオン（ＰＶＡ−Ｉ３−錯体）が不安定となるため，光学特性の劣化が大きく，色相のニュートラル性に欠けるものと推定される。また，「ヨウ素染色工程」における浸漬時間ｔＢが相対的に長いために，ヨウ素が偏光子の厚み方向に均一に存在することも耐久性に影響を与えていると推定される。
【００２３】
　逆にｔＣ／ｔＢが大きいと，偏光子の厚み方向中心部のヨウ素イオン濃度が相対的に低くなるため，Ｔ２／Ｔ１は前記の好ましい範囲を上回り，耐久性が低下する傾向がある。このように浸漬時間が耐久性に影響を与える一因として，「架橋工程」における浸漬時間ｔＣが相対的に長いためにホウ酸によるＰＶＡの架橋が過度に進行することが考えられる。このように架橋が過度に進行すると，ＰＶＡ−Ｉ３−錯体がより多く生成すると考えられるが，ＰＶＡ−Ｉ３−錯体はＰＶＡ−Ｉ５−錯体に比して，高温高湿環境下での相対的な安定性に欠けるため，光学特性の劣化が大きく，色相のニュートラル性に欠けるものと推定される。また，「ヨウ素染色工程」における浸漬時間ｔＢが相対的に短いために，偏光子の厚み方向端部（表面）が中心部に比して選択的にヨウ素染色されることによって，ホウ酸による架橋が阻害され，架橋が不十分であることによって，高温高湿環境下での光学特性の劣化が大きくなるものと推定される。」
　エ　「【００４４】
　偏光子の厚さは特に制限されないが，一般的に，５〜８０μｍ程度である。偏光子の厚みが薄くなると，保護フィルムと貼り合せる際の乾燥工程等において，偏光子中の水分が揮発しやすくなる。」
　オ　「【実施例】
【００７１】
　　以下に，本発明を実施例をあげて説明するが，本発明は以下に示し実施例に制限されるものではない。なお，以下の実施例および比較例の評価は，下記の方法によりおこなったものである。
…（省略）…
【００７５】
　（光学特性の測定）
　 積分球付き分光光度計（日本分光製，Ｖ７１００）を用いて，単体透過率Ｔｓを求め，単体透過率Ｔｓの測定値から表面反射を除くことにより，視感度補正した単体透過率Ｔｓ（Ｙ）を算出した。
　　また，下記式により偏光板の二色比ＤＲを算出した。下記式において，Ｔｓ（Ｙ）は前記視感度補正した単体透過率（％），Ｐは偏光度（％）を表す。
【数１】
【００７６】
［実施例１］
（偏光子の調製）
　重合度２４００，ケン化度９９．９％，厚み７５μｍのポリビニルアルコールフィルムを，３０℃の温水中（膨潤浴）に浸漬し，膨潤させながら，ポリビニルアルコールフィルムの長さが元長の２倍となるように自由端一軸延伸をおこなった。ついで，ヨウ素とヨウ化カリウムの混合物（重量比１：１６）の濃度が０．３重量％の水溶液（染色浴）に浸漬し，ポリビニルアルコールフィルム長さがの元長の３倍となるように自由端一軸延伸しながらフィルムを染色した。その後，ホウ酸３重量％，ヨウ化カリウム３重量％の水溶液(架橋浴１)中に浸漬しながら，ポリビニルアルコールフィルムの長さが元長の４倍となるように延伸した後，６０℃のホウ酸４重量％，ヨウ化カリウム５重量％の水溶液(架橋浴２)中で，ポリビニルアルコールフィルムの長さが元長の６倍となるように延伸した。その後，ヨウ化カリウム３重量％の水溶液（ヨウ素含浸浴）でヨウ素イオン含浸処理を行った後，６０℃のオーブンで４分間乾燥し，偏光子を得た。得られた偏光子の厚みは２８μｍであった。
…（省略）…
【００８３】
　　実施例および比較例で得られた偏光板のラマンスペクトルの測定結果，及び，偏光板を温度６０℃・湿度９５％の加熱加湿条件に２５０時間放置した前後での，視感度補正した単体透過率Ｔｓ（Ｙ）の変化量ΔＴｓ（Ｙ），および波長４１０ｎｍでの二色比ＤＲ（４１０）の変化量ΔＤＲ（４１０）を表２に示す。
【００８４】
【表２】
【００８５】
　表２から明らかなように，偏光子の厚み方向中心部のラマン分光法による１０５ｃｍ−１付近の最大ピーク強度Ｔ１と，該偏光子の厚み方向端部のラマン分光法による１０５ｃｍ−１付近の最大ピーク強度Ｔ２との比が本発明の範囲にある実施例の偏光板は，高温高湿環境下にける光学特性の変化が小さく，耐久性に優れていることがわかる。」
　(2) 引用発明１
　前記(1)の記載からみて，引用例１には，次の発明が記載されている（以下「引用発明」という。）。
「　偏光子断面の厚み方向中心部のラマン分光法による１０５ｃｍ−１付近の最大ピーク強度Ｔ１と，該偏光子の厚み方向端部のラマン分光法による１０５ｃｍ−１付近の最大ピーク強度Ｔ２との比が，０．９２０≦Ｔ２／Ｔ１≦０．９８５，との関係を満たし，
　ラマン分光法における１０５ｃｍ−１付近のピークは，ＰＶＡとＩ３−との錯体，すなわちＰＶＡ−Ｉ３−錯体のラマン散乱に対応するため，このピークが特定の比率を満たすということは，偏光子中のＰＶＡ−Ｉ３−錯体が厚み方向に所定の濃度分布を有していることを意味する，
　ポリビニルアルコール系フィルムにヨウ素染色処理を施した偏光子。」
　２　引用発明２〜引用発明４
　(1) 引用発明２
　引用例２（公開日：平成２４年６月７日，発明の名称：「偏光子の製造方法，偏光子，偏光板，光学フィルムおよび画像表示装置」，出願番号：特願２０１０−２５５０５４号，出願日：平成２２年１１月１５日，出願人：日東電工株式会社）は，本件出願の優先日前に頒布された刊行物である。
　そして，引用例２の，特許請求の範囲の請求項１及び請求項６記載からみて，引用例２には，次の発明が記載されている（以下「引用発明２」という。）。
「　ポリビニルアルコール系フィルムに，染色浴中での染色工程，架橋浴中での架橋工程および延伸浴中での延伸工程を少なくとも施す製造方法により得られる偏光子において，
　前記染色工程，架橋工程および延伸工程のいずれか少なくとも１つの工程に係る処理浴は，ヨウ化化合物およびホウ素化合物を含有する混合水溶液を有し，かつ，
　前記染色工程，架橋工程および延伸工程のなかで，前記混合水溶液が用いられる最後の工程に係る最終処理浴の混合水溶液は，ヨウ化化合物およびホウ素化合物の他に，０．００００２〜０．０１５重量％の水溶性酸化防止剤を含有する，
　偏光子。」
　(2) 引用発明３
　引用例３（公開日：昭和５６年２月１２日，発明の名称：偏光フイルムないしシートの製造方法，出願番号：特願昭５４−９０２２１号，出願日：昭和５４年７月１６日，出願人：信越化学工業株式会社）は，本件出願の優先日前に頒布された刊行物である。
　そして，引用例３の特許請求の範囲及び３頁左上欄９〜１５行の記載からみて，引用例３には，次の発明が記載されている（以下「引用発明３」という。なお，「フイルム」は「フィルム」に書き改めた。）。
「　塩化ビニル系樹脂フィルムの低温プラズマ処理面に，ポリビニルアルコールの被覆層を設けた後，
　該フィルムを延伸し，
　ついでヨード処理してなり，
　ヨード処理完了後，ヨードの散逸を防止する目的で安定化処理を施こすことが望ましく，この方法としてはたとえばほう酸，チオ硫酸ナトリウム，よう化カリ等の混合水溶液中に，ヨード処理されたフィルムを浸漬するという方法によればよい，
偏光フィルム。」
　(3) 引用発明４
　引用例４（公開日：平成２０年３月２７日，発明の名称：高耐久性偏光板，出願番号：特願２００６−２４８８３８号，出願日：平成１８年９月１４日，出願人：日本化薬株式会社　他１名）は，本件出願の優先日前に頒布された刊行物である。
　そして，引用例４の特許請求の範囲の請求項１の記載からみて，引用例４には，次の発明が記載されている（以下「引用発明４」という。）。
「　二色性色素およびホウ酸を吸着し延伸された親水性高分子フィルムを，ｐＨが１．０乃至６．０である溶液で処理されてなる偏光素膜を用いた偏光板であって，
　該偏光板に重合性樹脂組成物を硬化させた層を少なくとも１層以上有する，
偏光板。」
　３　本願発明１について
　本願発明１と引用発明１を対比する。
　(1) 対比
　引用発明１は，「ポリビニルアルコール系フィルムにヨウ素染色処理を施した偏光子」である。また，技術的にみて，「ポリビニルアルコール系フィルム」は，「樹脂」フィルムである。
　したがって，引用発明１の「偏光子」は，本願発明１の「偏光膜」に相当する。また，引用発明１の「偏光子」は，本願発明１の「偏光膜」が具備する，「ヨウ素を含むポリビニルアルコール系樹脂フィルムから構成され」という要件を満たす。
　(2) 一致点
　本願発明１と引用発明１は，次の構成で一致する。
「　ヨウ素を含むポリビニルアルコール系樹脂フィルムから構成された，
　偏光膜。」
　(3) 相違点
　本願発明１と引用発明１は，以下の点で相違する。
　ア　相違点１
　本願発明１の「偏光膜」は，(A)「該ポリビニルアルコール系樹脂フィルムの表面側の少なくとも一方がヨウ素低減層とされており」，(B)「該ポリビニルアルコール系樹脂フィルムの該ヨウ素低減層側の表面の波長６８０ｎｍにおける異方性反射（Ｒｃ／Ｒｐ）が１．５０以下であり（ここで，Ｒｐは偏光膜の透過軸方向の反射率を，Ｒｃは偏光膜の吸収軸方向の反射率を示す）」という要件を満たすものであるのに対し，引用発明１は，これが明らかではない点。
　すなわち，上記(A)について，引用発明１の「偏光子」は，「偏光子断面の厚み方向中心部のラマン分光法による１０５ｃｍ−１付近の最大ピーク強度Ｔ１と，該偏光子の厚み方向端部のラマン分光法による１０５ｃｍ−１付近の最大ピーク強度Ｔ２との比が，０．９２０≦Ｔ２／Ｔ１≦０．９８５，との関係を満た」すものである。そして，「ラマン分光法における１０５ｃｍ−１付近のピークは，ＰＶＡとＩ３−との錯体，すなわちＰＶＡ−Ｉ３−錯体のラマン散乱に対応するため，このピークが特定の比率を満たすということは，偏光子中のＰＶＡ−Ｉ３−錯体が厚み方向に所定の濃度分布を有していることを意味する」。したがって，引用発明１の「偏光子」において，偏光子断面の厚み方向中心部のＰＶＡ−Ｉ３−錯体の濃度に対する，偏光子断面の厚み方向端部のＰＶＡ−Ｉ３−錯体の濃度の比（以下「ＰＶＡ−Ｉ３−錯体濃度比」という。）は，０．９２０以上０．９８５以下の範囲にあるといえる。また，引用発明１の「偏光子」は，ＰＶＡ−Ｉ３−錯体との関係でいえば，ポリビニルアルコール系樹脂フィルムの表面側の少なくとも一方がＰＶＡ−Ｉ３−錯体低減層とされているといえる。しかしながら，ヨウ素との関係でいえば，「該ポリビニルアルコール系樹脂フィルムの表面側の少なくとも一方がヨウ素低減層とされ」ているとまでは断定できない。
　次に，上記(B)について，引用例１には，異方性反射に関する測定結果の記載がない。したがって，引用発明１の「偏光膜」が，異方性反射が１．５０以下であるという要件を満たすか，引用例１の記載からは，明らかであるとはいえない。
　イ　相違点２
　本願発明１の「偏光膜」は，(C)「該ポリビニルアルコール系樹脂フィルムの厚みが７μｍ以下であり」，(D)「単体透過率が，４０．０％以上であり，かつ，偏光度が，９９．８％以上である」のに対し，引用発明１の「偏光子」は，これが明らかではない点。
　すなわち，上記(C)について，引用例１の段落【００４４】には，「偏光子の厚さは特に制限されないが，一般的に，５〜８０μｍ程度である。」と記載されている。したがって，引用発明１の「偏光膜」は，ポリビニルアルコール系樹脂フィルムの厚みが７μｍ以下であるものに限られる発明ではない。
　次に，上記(D)について，引用例１には，偏光子の単体透過率及び偏光度に関する具体的な値の記載がない。したがって，引用発明１の「偏光膜」が，「単体透過率が，４０．０％以上であり，かつ，偏光度が，９９．８％以上である」という要件を満たすか，引用例１の記載からは，明らかであるとはいえない。
　(4) 判断
　前記(3)アで述べたとおり，引用発明１の「偏光子」のＰＶＡ−Ｉ３−錯体濃度比は，０．９２０以上０．９８５以下の範囲にある。
　しかしながら，異方性反射が１．５０以下となるか否かは，ヨウ素濃度の「比」ではなく「量」に左右される（本件出願の明細書の段落【００１３】〜【００１５】参照。）。すなわち，偏光子のＰＶＡ−Ｉ３−錯体濃度比が判明していても，そこから異方性反射の値を，直ちに導き出すことはできない。
　したがって，引用発明１からは，前記相違点１のうち，少なくとも，相違点１の(B)の構成を，直ちに導き出すことはできない。
　さらにすすんで検討すると，仮に，引用発明１が相違点１に係る構成を具備するとしても，引用発明１に基づいて，相違点１及び相違点２に係る構成の全てを具備してなる偏光膜の構成に至るとはいえない。
　まず，周知技術として挙げられた引用例４〜引用例６には，厚みが７μｍ以下，単体透過率が４０．０％以上，かつ，偏光度が９９．８％以上である偏光子は記載されていない。
　次に，仮に，厚みが７μｍ以下，単体透過率が４０．０％以上，かつ，偏光度が９９．８％以上である偏光子が周知であるとしても，相違点１に係る構成を維持しつつ，相違点１及び相違点２に係る構成を具備する偏光膜が得られるか判らない。例えば，引用例１の記載及び周知技術を考慮しても，引用発明１の構成を具備する偏光子の製造方法と，周知の偏光子の製造方法を両立できるか判らないから，本願発明１の偏光膜に到るか判らない。
　偏光膜は，物として一体不可分である。そして，偏光膜の厚み，単体透過率，偏光度及び異方性反射は，すべて，この一体不可分な物の物性値である。加えて，これら物性値に，トレードオフを含む相関関係があることは，技術的にみて明らかである。したがって，本願発明１の偏光膜の厚み，単体透過率及び偏光度の要件を満たす偏光膜と，本願発明１の異方性反射の要件を満たす偏光膜が，それぞれ，公知又は周知であり，また，仮に，前者の製造方法と後者の製造方法を組み合わせることができたとしても，組み合わせた後の偏光膜の各物性値が，本願発明１の要件をすべて満たすとは限らない。
　(5) 小括
　以上のとおりであるから，本願発明１は，引用発明１及び周知技術に基づいて，その優先日前にその発明の属する技術の分野における通常の知識を有する者が容易に発明をすることができたものであるということはできない。
　(6) 引用発明２〜引用発明４について
　引用発明２の偏光子において，ポリビニルアルコール系フィルムの表面側のヨウ素濃度は不明である。したがって，引用発明２からは，異方性反射値の構成を導き出すことはできない。
　また，引用例２の記載及び周知技術を考慮しても，本願発明１の偏光膜の厚み，単体透過率，偏光度及び異方性反射に関するすべての要件を満たす偏光膜の製造方法が判らないから，本願発明１の偏光膜に到らない。
　その詳細は，前記(4)と同様である。
　引用発明３及び引用発明４についても，同様である。
　したがって，本願発明１は，引用発明２〜引用発明４のいずれか，及び周知技術に基づいて，その優先日前にその発明の属する技術の分野における通常の知識を有する者が容易に発明をすることができたものであるということはできない。
　４　本願発明２〜本願発明９について
　本願発明２及び本願発明９は，本願発明１の発明特定事項をすべて含む発明である。
　したがって，本願発明２及び本願発明９は，いずれも，本願発明１と同様の理由により，引用発明１〜引用発明４のいずれか，及び周知技術に基づいて，その優先日前にその発明の属する技術の分野における通常の知識を有する者が容易に発明をすることができたものであるということはできない。
　本願発明３は，本願発明１偏光膜の製造方法，又は本願発明２の製造方法の発明である。また，引用例１〜引用例４の記載及び周知技術を考慮しても，本願発明１の偏光膜の厚み，単体透過率，偏光度及び異方性反射に関するすべての要件を満たす偏光膜の製造方法が判らないことは，前記３(4)及び(6)で述べたとおりである。
　したがって，本願発明３は，引用発明１〜引用発明４のいずれか，及び周知技術に基づいて，その優先日前にその発明の属する技術の分野における通常の知識を有する者が容易に発明をすることができたものであるということはできない。
　本願発明４〜本願発明８は，本願発明３の発明特定事項をすべて含む発明である。
　したがって，本願発明４〜本願発明８は，いずれも，本願発明１と同様の理由により，引用発明１〜引用発明４のいずれか，及び周知技術に基づいて，その優先日前にその発明の属する技術の分野における通常の知識を有する者が容易に発明をすることができたものであるということはできない。
第３　まとめ
　以上のとおりであるから，本願発明１〜本願発明９は，いずれも，特許法２９条２項の規定に違反しないものである。
　また，他に本件出願を拒絶すべき理由を発見しない。
　よって，結論のとおり審決する。